(57)【要約】  【課題】使い勝手の良い装身具トレイを提供する。  【解決手段】シート本体２の角部６のスナップ７を係合させてから、スナップ７に眼鏡掛けシート部12の両端部の係合凹部15を係止させる。眼鏡掛けシート部12を起立させた状態で保持できる。眼鏡掛けシート部12に眼鏡Ａを掛けると、眼鏡Ａがシート本体２の内側シート４の表面に接触することなく、内側シート４の表面から離された状態で保持できる。眼鏡Ａを眼鏡掛けシート部12に掛けた状態で収容できる。眼鏡Ａがシート本体２に接触することによる眼鏡Ａのレンズ部Ｅの汚れや曇りなどの不都合を防止できる。  【選択図】図１
0003113660.tif 000002
【実用新案登録請求の範囲】
【請求項１】
少なくとも１つ以上の角部を有するシート状のシート本体と、
このシート本体の前記角部の２辺同士が向かい合う状態に係止可能な係止手段と、
前記シート本体の角部の２辺同士を向かい合わせて係止させた状態で前記角部に係止可能に設けられ、この角部に係止させた状態で眼鏡が掛け止め可能な眼鏡掛け止め部と
を具備したことを特徴とするトレイ。
【請求項２】
眼鏡掛け止め部は、シート本体を長手方向に向けて折り畳んだ状態で、このシート本体内に収容可能に設けられている
ことを特徴とする請求項１記載のトレイ。
【請求項３】
眼鏡掛け止め部は、２辺同士を向かい合わせて係止させた角部に係止させた状態で、前記シート本体の表面から離間させて眼鏡が掛け止め可能に設けられている
ことを特徴とする請求項１または２記載のトレイ。
【考案の詳細な説明】
【技術分野】
【０００１】
本考案は、シート本体の角部の２辺が向かい合うように係止できるトレイに関する。
【背景技術】
【０００２】
従来、この種のトレイとしての装身具トレイは、可撓性を有する合成皮革などにて形成された矩形シート状のシート本体を備えている。さらに、このシート本体の各角部には、これら各角部の２辺同士が向かい合って当接するように係止可能な一対のスナップが取り付けられている。
【０００３】
そして、このシート本体の各角部のそれぞれをスナップを係合させて、各角部の２辺同士を向かい合わせて当接させて係止させることによって、このシート本体の周縁部が上方に向けて立ち上がるように保持されてトレイ状になる。よって、このトレイ状に保持されたシート本体上に、眼鏡や腕時計などの装身具を載置させる。さらに、この携帯用トレイは、シート本体の各スナップの係合を外して、このシート本体を平坦なシート状にしてから、このシート本体を長手方向に向けて２つ折りにした状態で、このシート本体の端部から突出している紐状体をシート本体に巻回させて、このシート本体の折り畳んだ状態を保持させて、持ち運びやすい形態になる構成が知られている(例えば、特許文献１参照。)。
【特許文献１】意匠登録第１２４１４１５号公報
【考案の開示】
【考案が解決しようとする課題】
【０００４】
しかしながら、上述した装身具トレイでは、シート本体の各スナップを係合させてトレイ状にした状態で、このシート本体上に眼鏡などを載置させた際に、この眼鏡のレンズ部分がシート本体上に接触してしまうおそれがあるから、この眼鏡のレンズが汚れてしまったり曇ってしまったりしてしまうので、使い勝手が余り良くないという問題を有している。
【０００５】
本考案は、このような点に鑑みなされたもので、使い勝手の良いトレイを提供することを目的とする。
【課題を解決するための手段】
【０００６】
請求項１記載のトレイは、少なくとも１つ以上の角部を有するシート状のシート本体と、このシート本体の前記角部の２辺同士が向かい合う状態に係止可能な係止手段と、前記シート本体の角部の２辺同士を向かい合わせて係止させた状態で前記角部に係止可能に設けられ、この角部に係止させた状態で眼鏡が掛け止め可能な眼鏡掛け止め部とを具備したものである。
【０００７】
そして、シート本体の少なくとも１つ以上の角部の２辺同士が向かい合うように係止手段にて係止させる。この状態で、この係止手段にて係止された角部に眼鏡賭け止め部を係止させる。
【０００８】
請求項２記載のトレイは、請求項１記載のトレイにおいて、眼鏡掛け止め部は、シート本体を長手方向に向けて折り畳んだ状態で、このシート本体内に収容可能に設けられているものである。
【０００９】
そして、シート本体を長手方向に向けて折り畳んだ状態で、このシート本体内に眼鏡掛け止め部が収容可能である。
【００１０】
請求項３記載のトレイは、請求項１または２記載のトレイにおいて、眼鏡掛け止め部は、２辺同士を向かい合わせて係止させた角部に係止させた状態で、前記シート本体の表面から離間させて眼鏡が掛け止め可能に設けられているものである。
【００１１】
そして、シート本体の２辺同士を向かい合わせて係止させた角部に眼鏡掛け止め部を係止させた際に、この眼鏡掛け止め部がシート本体の表面から離間されて係止される。
【考案の効果】
【００１２】
請求項１記載のトレイによれば、シート本体の角部を係止手段にて係止させた状態で眼鏡掛け止め部を係止できるため、この眼鏡掛け止め部に眼鏡を掛け止めることによって、この眼鏡をシート本体上に載置させることなく眼鏡掛け止め部に掛け止めできるから、使い勝手が良い。
【００１３】
請求項２記載のトレイによれば、シート本体を長手方向に向けて折り畳んだ際に、このシート本体内に眼鏡掛け止め部を収容させることによって、これらシート本体および眼鏡掛け止め部の携帯性を向上できる。
【００１４】
請求項３記載のトレイによれば、眼鏡掛け止め部に眼鏡を掛け止めした際に、この眼鏡がシート本体の表面から離間されて眼鏡掛け止め部に掛け止めされるので、この眼鏡をシート本体の表面に接触させることなく眼鏡掛け止め部に掛け止めできるから、この眼鏡がシート本体の表面に接触することによって生じる汚れなどを防止できるため、使い勝手をより向上できる。
【考案を実施するための最良の形態】
【００１５】
本考案の第１の実施の形態のトレイの構成を図１ないし図３を参照して説明する。
【００１６】
図１ないし図３において、１はトレイとしての装身具トレイで、この装身具トレイ１は、旅行などで外出した際に身に付けている指輪、イアリングなどのジュエリや、眼鏡Ａ、腕時計などの装身具をまとめて収容できる携帯用である。さらに、この装身具トレイ１は、眼鏡Ａを立て掛け保持できる眼鏡立て付きジュエリトレイである。そして、この装身具トレイ１は、長尺シート状のシート本体２を備えている。このシート本体２は、可撓性を有する素材にて形成されているとともに、長手方向に向けて略三等分に折り畳み可能に構成されている。
【００１７】
すなわち、このシート本体２は、長手方向に向けて略三等分の位置で幅方向に沿って折り畳めるように構成されている。さらに、このシート本体２は、合成皮革調の外側シート３の内側面に、ベルベット調の内側シート４の裏面が貼り合わされて構成されている。そして、これら外側シート３および内側シート４のそれぞれは、互いに貼り合わされた状態で周縁が縫い合わされて一体的なシート状に固定されている。
【００１８】
また、内側シート４の周縁から所定距離ほど平行に内側に離間させた位置には、この内側シート４および外側シート３のそれぞれの周縁部を上方に向けて立ち上がりやすくさせる断面凹状の折り目線５が設けられている。この折り目線５は、内側シート４の各辺それぞれに対して平行に形成されて平面視矩形状に形成されている。また、この折り目線５は、この折り目線５に沿って内側シート４の外周縁とともに外側シート３の外周縁を内側に折り返すことによって、これら内側シート４および外側シート３にて構成されたシート本体２をトレイ状に変形させる。
【００１９】
さらに、この内側シート４の各角部６には、この内側シート４の各角部６の２辺同士が向かい合って当接した折り畳んだ状態となるように係脱可能に係止できる係止手段としての一対のスナップ７がそれぞれ取り付けられている。これらスナップ７は、凸状の雄スナップ８と、凹状の雌スナップ９とで構成されている。そして、これらスナップ７は、雌スナップ９に雄スナップ８を嵌合させることによって、これら雄スナップ８と雌スナップ９とが係脱可能に係止される。さらに、これら雄スナップ８および雌スナップ９は、内側シート４の各角部６の二等分線Ｌを中心とした線対称な位置であるとともに、この内側シート４の外周縁と折り目線５との間の中央部に取り付けられている。
【００２０】
また、この内側シート４と外側シート３との間には、保持手段としての細長紐状の紐状体11の長手方向の一端部である基端部が挟み込み込まれて固定されている。この紐状体11の基端部は、シート本体２の長手方向の一端側に位置する一側部の幅方向の中央部に固定されている。そして、この紐状体11は、シート本体２を長手方向に沿って略三等分に折り畳んだ状態で、このシート本体２に巻回させつつ、この紐状体11の長手方向の他端部である先端部をこの紐状体11の中間部に縛り付けて、このシート本体２の折り畳んだ状態を保持させる。すなわち、この紐状体11は、シート本体２の長手寸法より大きな長さ寸法、例えば１．５倍程度の長さ寸法を有しているとともに、このシート本体２の外側シート３と同一の素材にて合成皮革調に形成されている。
【００２１】
さらに、内側シート４の幅方向の中央部であるとともに、この内側シート４の長手方向の一端寄りの位置には、側面視略凸字状であるシート状の眼鏡掛け止め部としての眼鏡掛けシート部12が取り付けられている。この眼鏡掛けシート部12は、外側シート３と同一の素材にて合成皮革調に形成されており、この眼鏡掛けシート部12の両側面が、例えば河馬の顔の模様となるように河馬の耳や鼻の形状が形成されている。さらに、この眼鏡掛シート部12は、両側面の所定位置が縫い合わされて河馬の口の模様が形成されている。さらに、この眼鏡掛けシート部12は、この眼鏡掛けシート部12の長手方向をシート本体２の幅方向の沿わせた状態で、このシート本体２に取り付けられている。
【００２２】
そして、この眼鏡掛けシート部12は、シート本体２の幅寸法より若干小さな長手寸法を有するとともに、このシート本体２の長手寸法の約３分の１より若干小さな高さ寸法を有している。すなわち、この眼鏡掛けシート部12は、シート本体２を長手方向に向けて略三等分に折り畳んだ状態で、このシート本体２内に収容できる大きさに形成されている。
【００２３】
また、この眼鏡掛けシート部12の下端部の中央部には、この眼鏡掛けシート部12を内側シート４の表面に対して折り曲げ可能に連結させる細長帯状の連結片13が取り付けられている。この連結片13は、この連結片13の一端部である上端部が眼鏡掛けシート部12に縫い合わされて固定され、この連結片13の他端部である下端部が内側シート４の表面上に縫い付けられて固定されている。さらに、この連結片13の下端部は、シート本体２の紐状体11が固定されている一側から、このシート本体２の長手方向に向けて、このシート本体２の長手寸法の約３分の１ほど離間させた位置に取り付けられている。
【００２４】
そして、眼鏡掛けシート部12の上端部の中央部には、この眼鏡掛けシート部12の上側から眼鏡Ａを立て掛けて掛け止めさせた際に、この眼鏡Ａの両側のリム部Ｂの両端に取り付けられている柄部であるテンプルＣを折り畳んだ状態で、この眼鏡ＡのテンプルＣとリム部Ｂ間のブリッジＤとの間に挿入されて、この眼鏡Ａを内側シート４の表面から離間させて保持する係止片部14が一体的に設けられている。この係止片部14は、眼鏡掛けシート部12の両側部の上端縁よりも上方に向けて凸状に突出している。
【００２５】
さらに、この眼鏡掛けシート部12の長手方向である幅方向の両端部それぞれの下端側には、凹状に切り欠かれた係合凹部15がそれぞれ設けられている。これら係合凹部15は、シート本体２の角部６のスナップ７を係合させた状態で、眼鏡掛けシート部12の長手方向を湾曲させることによって、この眼鏡掛けシート部12が取り付けられている位置に近い側の両側部のスナップ７の雄スナップ８と雌スナップ９との間に係合されて、この眼鏡掛けシート部12を略垂直に立設させる。
【００２６】
次に、上記第１の実施の形態のトレイの組み立て動作について説明する。
【００２７】
まず、図３に示すように、装身具トレイ１を折り畳んだ状態から、この装身具トレイ１をトレイ状に変形させる場合には、この装身具トレイ１の折り畳まれたシート本体２に巻き付けられている紐状体11の巻き付けを外す。
【００２８】
この後、図２に示すように、この折り畳まれたシート本体２を展開して平面状にする。
【００２９】
この状態で、このシート本体２の各角部６に設けられているスナップ７の雄スナップ８と雌スナップ９とを互いに係合させて、このシート本体２の各角部６の２辺同士が向かい合って当接する状態にする。
【００３０】
このとき、このシート本体２の各スナップ７の係合によって、このシート本体２の外周縁が内側シート４の折り目線５に沿って上側に立ち上がって、このシート本体２がトレイ状に変形される。
【００３１】
この後、このシート本体２の内側面である表面に取り付けられている眼鏡掛けシート部12を、連結片13を湾曲させて起立させる。
【００３２】
この状態で、この眼鏡掛けシート部12の長手方向の両端部を、シート本体２の眼鏡掛けシート部12が取り付けられている位置に近い側に向けて凹弧状に湾曲させる。
【００３３】
次いで、この眼鏡掛けシート部12の両端部に設けられている係合凹部15のそれぞれを、シート本体２の両側部のスナップ７の雄スナップ８と雌スナップ９との間に係合させて、この眼鏡掛けシート部12の起立を保持させる。
【００３４】
この後、眼鏡Ａの各テンプルＣを折り畳んでからこの眼鏡ＡのテンプルＣとブリッジＤとの間に眼鏡掛けシート部12の係止片部14が挿入されて掛け止めされるように、この眼鏡Ａを眼鏡掛けシート部12に掛け止めさせる。
【００３５】
この結果、図１に示すように、シート本体２の内側シート４の表面から眼鏡Ａが離された状態で、この眼鏡Ａが眼鏡掛けシート部12に掛け止めされる。
【００３６】
さらに、このトレイ状に変形したシート本体２の内側シート４上に、眼鏡Ａ以外の図示しない指輪、イアリングなどのジュエリや腕時計などの装身具をまとめて載置させて収容させる。
【００３７】
次いで、この状態から装身具トレイ１を折り畳む場合には、この装身具トレイ１から眼鏡やその他の装身具を取り除いてから、この装身具トレイ１の眼鏡掛けシート部12の各係合凹部15をシート本体２のスナップ７から取り外す。
【００３８】
この後、この眼鏡掛けシート部12の連結片13の湾曲を戻して、この眼鏡掛けシート部12をシート本体２の内側シート４の表面上に重ねる。
【００３９】
さらに、図２に示すように、このシート本体２の各スナップ７の雄スナップ８と雌スナップ９との係合を解除させて、このシート本体２を平面状にする。
【００４０】
この状態で、このシート本体２を長手方向に向けて略三等分に折り畳む。
【００４１】
この後、図３に示すように、この折り畳んだシート本体２の外周に紐状体11を巻回させるとともに、この紐状体11の先端部をこの紐状体11の中間部に交差させて縛り付けて、このシート本体２の折り畳んだ状態を保持させる。
【００４２】
上述したように、上記第１の実施の形態によれば、シート本体２の各角部６に取り付けたスナップ７を係合させてから、これらスナップ７に眼鏡掛けシート部12の両端部の係合凹部15を係合させて係止させることによって、この眼鏡掛けシート部12を起立させた状態で保持できる。さらに、この眼鏡掛けシート部12に眼鏡Ａを掛けることによって、この眼鏡Ａがシート本体２の内側シート４の表面に接触することなく、この内側シート４の表面から離間された状態で眼鏡掛けシート部12に掛けることができる。
【００４３】
したがって、この眼鏡Ａをシート本体２の内側シート４の表面上に載置させる必要がなくなるとともに、この眼鏡Ａをシート本体２の内側シート４の表面に接触させることなく、この眼鏡Ａを眼鏡掛けシート部12に立て掛けた状態で収容できる。このため、この眼鏡Ａがシート本体２の表面に接触することによって生じる、この眼鏡Ａのレンズ部Ｅが汚れたり曇ったりするなどの不都合を防止できるから、装身具トレイ１の使い勝手を向上できる。
【００４４】
さらに、この装身具トレイ１のシート本体２が長手方向に向けて約三等分に折り畳むことができる。このため、このシート本体２の各角部６のスナップ７の係合を解除させてから、このシート本体２を折り畳むことによって、このシート本体２を小さくできるから、装身具トレイ１の携帯性を向上できる。このとき、このシート本体２を折り畳んだ状態で、このシート本体２に紐状体11を巻回させて縛ることによって、このシート本体２を折り畳んだ状態を保持できる。したがって、このシート本体２を折り畳んだ状態で携帯している際に、このシート本体２が広がるなどといった不都合を防止できるので、装身具トレイ１の使い勝手をより良くできる。
【００４５】
また、シート本体２を折り畳んだ際に、このシート本体２内に眼鏡掛けシート部12が収容されるので、これらシート本体２および眼鏡掛けシート部12の携帯性をより向上できる。したがって、装身具トレイ１の携帯性をより向上できる。
【００４６】
なお、上記第１の実施の形態では、装身具トレイ１の眼鏡掛けシート部12の両側面に河馬の頭部の模様を形成したが、図４に示す第２の実施の形態のように眼鏡掛けシート部12の両側面に、例えば熊の頭部の模様や、図５に示す第３の実施の形態のように眼鏡掛けシート部12の両側面に、例えば豚の頭部の模様などの、種々の動物の頭部やその他の模様を形成することもできる。
【００４７】
また、これら第２の実施の形態および第３の実施の形態のように、装身具トレイ１のケース本体２の眼鏡掛けシート部12が取り付けられている側である長手方向の一側部の反対側である他側部の中央部に紐状体11の基端部を固定させることもできる。
【００４８】
さらに、図６に示す第４の実施の形態のように、装身具トレイ１のケース本体２の眼鏡掛けシート部12の両端部の下端部に円状の係合穴部17をそれぞれ形成して、これら係合穴部17がケース本体２の角部６のスナップ７の雄スナップ８と雌スナップ９との間に介在させた状態で、これら雄スナップ８と雌スナップ９とを嵌合させて各スナップ７を係止させることによっても、これら雄スナップ８と雌スナップ９との間に係合穴部17を係止できるから、上記第１の実施の形態と同様の作用効果を奏することができる。
【００４９】
また、装身具トレイ１のケース本体２の各角部６にスナップ７を取り付けて、これら角部６それぞれの２辺同士が向かい合って当接するように折り畳むことができるように構成したが、これら角部６の少なくとも一部にスナップ７が取り付けられていれば、眼鏡掛けシート部12の少なくとも一方の端部を係止できるから、対応させて用いることができる。
【図面の簡単な説明】
【００５０】
【図１】本考案の第１の実施の形態のトレイの組み立て状態を示す斜視図である。
【図２】同上トレイの展開状態を示す平面図である。
【図３】同上トレイの折り畳み状態を示す正面図である。
【図４】本考案の第２の実施の形態のトレイの展開状態を示す平面図である。
【図５】本考案の第３の実施の形態のトレイの展開状態を示す平面図である。
【図６】本考案の第４の実施の形態のトレイの展開状態を示す平面図である。
【符号の説明】
【００５１】
１    トレイとしての装身具トレイ
２    シート本体
６    角部
７    係止手段としてのスナップ
12    眼鏡掛け止め部としての眼鏡掛けシート部
Ａ    眼鏡
【図１】
0003113660.tif 000003
【図２】
0003113660.tif 000004
【図３】
0003113660.tif 000005
【図４】
0003113660.tif 000006
【図５】
0003113660.tif 000007
【図６】
0003113660.tif 000008